(57)【要約】  繊維材料ウェブの巻取りプロセスにおけるリール交換において、満杯になるリールに走行する繊維材料ウェブ（Ｗ）は、ウェブが新しい巻取りコア（２）の表面上に接着するようにされるよう、リール交換位置に持ち込まれる新しい巻取りコア（２）の周りに走行するために交換される。ウェブ（Ｗ）は、巻取りコア（２）の表面上の材料の特性の変更を用いて巻取りコア（２）の表面上に接着するようにされる。材料は、巻取りコアの表面上の接着地域（６ａ）と、接着地域の頂部上の保護層（６ｂ）との組み合わせであり、材料の特性は保護層（６ｂ）を除去することによって変更される。
2008528410.tif 000002
【特許請求の範囲】
【請求項１】
繊維材料ウェブの巻取りプロセスにおいてリールを交換するための方法であり、
満杯のリールに通される前記ウェブは、前記ウェブが新しい巻取りコアの表面に接着するよう作成されるように、リール交換位置に持ち込まれる前記新しい巻取りコア上に進行するよう変更される方法であって、
前記ウェブは、前記巻取りコアの表面及び／又は前記ウェブの表面の上に配置される材料の特性の変更を用いて前記巻取りコアの前記表面上に接着するようにされることを特徴とする、
方法。
【請求項２】
前記材料は、前記巻取りコアの前記表面上の接着地域と該接着地域の頂部の上の保護層との組み合わせであり、前記材料の特性は、前記保護層を除去することによって変更されることを特徴とする、請求項１に記載の方法。
【請求項３】
前記組み合わせは、前記ウェブを前記巻上げに案内する部材と巻取りコアとの間のニップを一回又は数回通過し、前記保護層の除去前の前記巻取りコアの回転動作を伴うことを特徴とする、請求項２に記載の方法。
【請求項４】
前記接着地域の前記頂部上の前記保護層の除去、並びに、前記巻取りコアの前記表面に第一に接着する舌又は先端の分離或いは前記ウェブ内の長手切り口の縁部への拡大は、前記保護層の除去後に露出される前記接着地域が前記巻取り戸コアの回転中に前記舌又は先端を打つよう互いに同期され、或いは、相応して、前記切り口の前記ウェブの前記縁部への拡大は、前記接着地域の接着地点から前記ウェブまでの所望距離にあることを特徴とする、請求項２又は３に記載の方法。
【請求項５】
前記接着地域の場所は、前記巻取りコアの回転中に検出され、前記ウェブからの前記舌又は先端の分離或いは前記縁部への前記長手切り口の拡大は、この場所データに基づいて同期されることを特徴とする、請求項４に記載の方法。
【請求項６】
前記接着地域の前記頂部からの前記接着層の除去は、前記接着地域上の前記場所データに従っても同期されることを特徴とする、請求項４又は５に記載の方法。
【請求項７】
前記接着地域の前記場所は、前記巻取りコアの前記表面から光学的に直接的に検出されることを特徴とする、請求項５又は６に記載の方法。
【請求項８】
前記場所は、明度又は色のような、前記巻取りコアの前記表面の残部とは異なる前記接着地域又は前記保護層の光学的特性を検出する光電池を用いて検出されることを特徴とする、請求項７に記載の方法。
【請求項９】
前記保護層は、吹付けによって前記接着地域の前記頂部から除去されることを特徴とする、請求項２乃至８のうちのいずれか１項に記載の方法。
【請求項１０】
前記吹付けは、前記巻取りコアの回転動作に対して直接的に或いは対角的に行われることを特徴とする、請求項９に記載の方法。
【請求項１１】
前記吹付けは、前記巻取りコアの回転軸の方向において軸方向に行われることを特徴とする、請求項１０に記載の方法。
【請求項１２】
前記第一ステップにおいて、第一接着地域が露出され、もし前記ウェブが前記巻取りコアに追従し始めないならば、第二接着地域が露出されることを特徴とする、請求項９乃至１１のうちのいずれか１項に記載の方法。
【請求項１３】
前記接着地域は、均一な接着地域の異なる部分として露出されることを特徴とする、請求項１２に記載の方法。
【請求項１４】
前記保護層又はその一部は全体的に検出され、且つ、それは吸引によって除去されることを特徴とする、請求項９乃至１３のうちのいずれか１項に記載の方法。
【請求項１５】
前記材料は、前記ウェブに対して接着的であるよう、外的刺激を用いて変更される前記巻取りコアのコーティングであることを特徴とする、請求項１２に記載の方法。
【請求項１６】
前記コーティングは、温度を上昇することによって前記ウェブに対して接着的であるよう変更されるポリマであることを特徴とする、請求項１５に記載の方法。
【請求項１７】
前記材料は、溶解から固体にその状態を変更する材料であり、前記材料は、前記交換位置にある前記巻取りコアと前記ウェブとの間の接触において凝固されるよう前記ウェブに送り込まれ、前記巻取りコアの前記表面に対する前記ウェブの接着を引き起こすことを特徴とする、請求項１に記載の方法。
【請求項１８】
前記材料は、ウェブ案内部材と前記巻取りコアとの間の前記ニップ内に送り込まれ、前記材料は、前記ニップの圧力によって溶解形態にされ、前記ニップの後、前記圧力が減少した後、前記ウェブが前記巻取りコアの前記表面に対するとき、前記材料は凝固され、前記巻取りコアの前記表面に対する前記ウェブの接着を引き起こすことを特徴とする、請求項１７に記載の方法。
【請求項１９】
材料が前記ウェブに送り込まれ、前記材料は、少なくとも、前記ウェブが前記交換位置に持ち込まれるリールスプールと接触するようになる段階では液体であり、前記リールスプールの前記表面は、少なくとも部分的に、周囲温度及び材料の凝固点よりも低い温度にされることを特徴とする、請求項１７に記載の方法。
【請求項２０】
物質が前記ウェブに送り込まれ、前記物質は、遅くとも、前記ウェブが前記巻取りコアの前記表面上の低温地域と接触するようになるときには水であり、前記ウェブは、この地点で、前記巻取りコアの前記表面に凍結されることを特徴とする、請求項１９に記載の方法。
【請求項２１】
前記材料は、周囲温度よりも低い温度にある水、例えば、サブクール水、又は、前記ウェブが前記巻取りコアと接触する前に溶解する氷であることを特徴とする、請求項２０に記載の方法。
【請求項２２】
前記巻取りコアの前記表面は、材料地域、冷却素子を備え、その材料は前記巻取りコアの前記表面の残部とは異なり、この材料地域はより低い温度に冷却されることを特徴とする、請求項２０又は２１に記載の方法。
【請求項２３】
前記より低い温度は、−３０℃以下であることを特徴とする、請求項１９乃至２２のいずれか１項に記載の方法。
【請求項２４】
前記材料の特性の変化は、前記ウェブ及び／又は前記巻取りコアの前記表面の耐電処理の結果としての静電荷における変化であり、前記ウェブは、静電気を用いて前記巻取りコアの前記表面に接着するようにされることを特徴とする、請求項１に記載の方法。
【請求項２５】
前記交換位置にある前記巻取りコアの前に、少なくとも部分的に長手である切り口によって、地域が前記ウェブから分離され、前記地域は、上記請求項のうちのいずれか１項に記載の方法で前記巻取りコアの前記表面に接着することを特徴とする、上記請求項のうちのいずれか１項に記載の方法。
【請求項２６】
前記地域は、正面で前記ウェブから分離される舌又は先端であることを特徴とする、請求項２５に記載の方法。
【請求項２７】
前記地域は、切断され或いは破損されるようにされる連続的な帯であり、前記切断又は破損に続く前記帯は、前記巻取りコアの前記表面に接着することを特徴とする、請求項２５に記載の方法。
【請求項２８】
前記帯は、前記ウェブの進行方向に前記巻取りコアの後で切断することによって切断されることを特徴とする、請求項２７に記載の方法。
【請求項２９】
前記帯は、巻取りコアのようなウェブ案内部材の前記表面に対する材料噴流によって切断されることを特徴とする、請求項２８に記載の方法。
【請求項３０】
前記巻取りコアへの前記帯の移転は、吹付けによって補助されることを特徴とする、請求項２８又は２９に記載の方法。
【請求項３１】
前記吹付けは、前記帯の進行方向における前記材料噴流の衝撃地点の後に配置されるノズルによって導入されることを特徴とする、請求項３０に記載の方法。
【請求項３２】
前記材料噴流は、前記帯の横方向に移動するノズルによって導入されることを特徴とする、請求項２９乃至３１のうちのいずれか１項に記載の方法。
【請求項３３】
前記ノズルは、線形動作、旋回動作、又は、回転動作によって、前記帯の横方向に移動されることを特徴とする、請求項３２に記載の方法。
【請求項３４】
繊維材料ウェブの巻取りプロセスにおいてリールを交換するためのリール交換機器であり、
前記繊維材料ウェブの巻上げにおいて配置される、
新しい空の巻取りコアと、
該新しい空の巻取りコアを、満杯になる古いリールに走行する繊維材料ウェブに接続する交換位置に配置し、前記接続は交換を可能にする手段と、
前記ウェブの接着を促進し或いは前記新しい空の巻取りコアの周りで前記ウェブの接着を引き起こすよう配置される手段とを含む交換機器であって、
前記ウェブの接着を促進し或いは引き起こす手段は、
前記新しい空の巻取りコアの表面と、前記巻取りコアの外側から前記材料に影響を及ぼす手段とを含み、該手段は、前記材料を前記繊維材料ウェブに対して実質的に反接着的から実質的に接着的に変更するために、前記材料の特性における変化を引き起こすよう構成され、
そのような材料を前記ウェブに送り出すよう構成される送出し装置を含み、前記材料は溶解から固体にその状態を変更し、前記ウェブの進行方向における前記交換位置に対する前記送出し地点は、前記材料が前記交換位置にある前記巻取りコアと前記ウェブとの間の接触において凝固されるよう選択され、
前記ウェブと前記巻取りコアとの間の前記接触地点の前に前記ウェブの進行方向において前記ウェブの前記表面に静電気を荷電し、且つ／或いは、前記ウェブの前記接触地点と前記巻取りコアの前にその回転方向において前記表面を静電気で荷電するよう構成される処理装置を含むことを特徴とする、
交換機器。
【請求項３５】
前記新しい巻取りコアの前記表面上の前記材料は、請求項２に従った組み合わせであり、前記巻取りコアの外側から有効な手段は、前記組み合わせの前記接着地域の頂部から前記接着層を除去するよう構成されることを特徴とする、請求項３４に記載の交換機器。
【請求項３６】
前記保護層は、前記接着地域の前記頂部からの除去後に前記組み合わせに固定されたままであるよう付着されることを特徴とする、請求項３５に記載の交換機器。
【請求項３７】
前記保護層を除去するための吹付け装置と、前記巻取りコアの回転中に前記組み合わせの場所を検出し或いは計算するよう構成される検出装置とを含むことを特徴とする、請求項３５又は３６に記載の交換機器。
【請求項３８】
前記検出装置は、前記組み合わせを光学的に直接的に検出するよう構成される光電池を含むことを特徴とする、請求項３７に記載の交換機器。
【請求項３９】
前記除去される保護層を受容するための並びにそれを案内して前記巻取りコアの近傍から離すための吸引装置又は吸引ノズルを含むことを特徴とする、請求項３７又は３８に記載の交換機器。
【請求項４０】
前記新しい巻取りコアの前記表面上の前記材料は、請求項１５又は１６に従ったコーティングであり、前記巻取りコアの外側から有効な前記手段は、前記ウェブに対して接着的であるよう前記コーティングを変換するように構成され、例えば、加熱手段であることを特徴とする、請求項３４に記載の交換機器。
【請求項４１】
当該交換機器は、その状態を溶解から固体形態に変える材料を前記ウェブに送り出すように構成される送出し装置を含み、前記巻取りコアは、請求項１７に従った巻取りコアであり、当該交換機器は、前記巻取りコアの前記表面上の地域を冷却するための冷却手段を含むことを特徴とする、請求項３４に記載の交換機器。
【請求項４２】
前記交換位置の前に配置され且つ前記ウェブからより狭い地域を分離するよう構成される切断装置を含むことを特徴とする、請求項３１乃至３７のうちのいずれか１項に記載の交換機器。
【請求項４３】
当該交換機器は、前記ウェブの進行方向において前記交換位置における前記巻取りコアの後に配置され且つ先行する切断装置によって分離される帯を切り落とすよう構成される交換装置も含み、それは切断材料噴流を生成するノズルを有利に含むことを特徴とする、請求項４２に記載の交換機器。
【請求項４４】
前記切断されるテープを巻取りコアの上に案内するよう構成される吹付けノズルも含むことを特徴とする、請求項４２に記載の交換機器。
【請求項４５】
前記吹付けノズル及び前記切断ノズルは、待機位置と交換位置との間で移動可能な同一のフレームの内部に配置されることを特徴とする、請求項４４に記載の交換機器。
【請求項４６】
前記切断ノズルは、１つ又はそれよりも多くの切断ノズルを含む回転ノズル本体の内部に配置されることを特徴とする、請求項４３乃至４５のうちのいずれか１項に記載の交換機器。
【請求項４７】
前記回転ノズル本体は、加圧空気によって回転可能であるよう構成され、それは当該交換機器の前記吹付けノズルと同一の加圧空気源に有利に接続されることを特徴とする、請求項４６に記載の交換機器。
【請求項４８】
接着地域と該接着地域上の保護層とを備える接着テープであって、
当該接着テープを請求項２乃至１４のうちのいずれか１項に記載の方法において使用するために、
当該接着テープは、基層を含む両面接着テープであり、前記基層の下面及び上面は、接着材料を備え、前記下面の前記接着材料は、当該テープを前記巻取りコアの表面上に付着するための地域を含み、前記上面の前記接着材料は、その頂部上に保護層を備える接着地域を含み、前記保護層は、前記接着地域から剥離可能であり、前記保護層は、当該テープの平面に、少なくともある地点において、前記基層の外側に延び、前記基層の下に空気ポケットを形成することを特徴とする、
接着テープ。
【請求項４９】
前記空気ポケットは、前記基層の縁部に前記保護層によって覆われる切取り部分をもたらすことによって、或いは、前記保護層を前記基層の前記縁部よりも遠くに延長することによって形成されることを特徴とする、請求項４８に記載の接着テープ。
【請求項５０】
前記保護層及び前記基層は、材料の同一ピースから成り、且つ、前記材料ピース内に折畳みを作成するために積み重なって配置されることを特徴とする、請求項４８又は４９に記載の接着テープ。
【請求項５１】
前記基層は、前記保護層の２つの部分によって覆われ、それらは、前記接着地域の異なる部分的な地域を露出するために、前記基層の頂部から別々に除去され得ることを特徴とする、請求項４８又は４９に記載の接着テープ。
【請求項５２】
当該接着テープは、ロールの上に連続的な接着テープを形成し、前記巻取りコアの前記表面に付着されるべき単一の接着テープが、例えば、切断によって、前記連続的な接着テープから分離され得ることを特徴とする、請求項４８、４９、又は、５１に記載の接着テープ。
【請求項５３】
繊維材料ウェブの巻取りプロセスにおけるリール交換に関連する新しい巻取りコアの表面の上での、請求項４８乃至５１のいずれか１項に記載の接着テープ、又は、請求項５２に従った接着テープから分離される接着テープの使用。
【発明の詳細な説明】
【技術分野】
【０００１】
本発明は、繊維材料ウェブの巻取プロセスにおいて、例えば、抄紙機又は厚紙機又は紙若しくは厚紙仕上げ装置の巻上げにおいて、リールを交換するための付属の独立請求項の前文に従った方法に関する。具体的には、本発明は、ウェブの走行速度を低減することのない、連続的な巻上げにおける交換に関する。
【背景技術】
【０００２】
抄紙機の巻上げにおいて、所謂ポープ巻上げにおいて、或いは、中心駆動補助巻上げにおいて、仕上げ紙が、カレンダ後に、リールスプールのような巻取りコアの周りに巻き取られる。巻上げ自体は、巻取りコアが、ウェブを案内するための部材、即ち、巻取りシリンダに対して負荷されるように行われ、巻き取られるべきウェブは、巻取りシリンダを介して巻取りコアの周りを進行して巻き付き、完全なリールを形成する。巻取りは、表面吸引（巻取りシリンダ又は類似物が駆動され且つ同時にリールを回転する）又は中心駆動（同様に巻取りコアが駆動される）を用いて行われ得る。
【０００３】
抄紙機のこの区画も中断なく機能し、且つ、抄紙機の先行区画から来る連続的な紙ウェブを受け取らなければならない。よって、古いリールが満杯になると、ウェブを切断し、切断地点に続くウェブを新しいリールコアの周りに巻き取り始めることが必要である。実際には、これは、紙リールが満杯になったときに、新しい空の巻取りコア、即ち、例えば、リールスプールが紙ウェブと接触する巻取りシリンダの表面上に移転されるように行われ、然る後、紙ウェブは切断され或いは適切な手段を用いて引き裂かれ、切断又は引裂地点に続くウェブの端部は、空の巻取りコアの周辺の上に案内され、新しいリールは今やその上で蓄積し始める。
【０００４】
巻取りにおける最も重大な段階は、実際には、製造速度での古いリールに走行する紙ウェブの切断又は引裂き並びにウェブの新しい端部を空のリールコアの周りに持ち込む動作である。不要な損紙(broke)を回避するために、交換は問題なく行われなければならない。理想的な事例は、ウェブの新しい端部を、ウェブの余分な緩いピース又はクリーズなしに、リールスプールのような空のコアの周辺表面にきちんと接して直ちに持ち込むことである。何故ならば、さもなければ、所謂底損紙(bottom  broke)が生成され得るからである。巻き取られるべきウェブの等級又は秤量に依存して、交換のために多くの方法が使用されることが周知である。
【０００５】
一般的に使用される交換方法は、全ての等級に適するポケット交換であるが、それは、典型的には、極めて大量の底損紙を引き起こし、巻上げに有害な影響を招き得る。他の方法は、上述の問題が余りひどくない所謂グースネック交換であるが、薄い等級にのみ適している。第三の方法はテープ交換であり、テープが巻取りコア及び巻取りシリンダの端部近傍で巻取りコアと巻取りシリンダとの間のニップ内に案内され、然る後、テープは、巻取りコアの幅に亘って螺旋状に巻き付くときに、同時に、ウェブを対角に切断し、ウェブの切断地点に続く新しい端部を巻取りコアの周りに案内する。
【０００６】
現在のところ、抄紙機の速度は概ね２０ｍ／ｓ以上であり、目標は、勿論、より速い速度を達成することである。迅速に進行するウェブの切断は問題ではなく、よって、速度によって引き起こされる力を切断において利用さえし得る。重大なポイントは、新しいウェブの端部が高速の周辺速度で周辺表面に追従するよう、新しいウェブの端部を巻取りスプールの周辺表面に対して直ちに持ち込むこと、並びに、ウェブ端部の非制御な遊走及び巻取りスプール上でのウェブ端部の間違った位置決めを防止することである。秤量が増大すると、この問題はより悪くなる。換言すれば、慣性力に打ち勝つために、即ち、ウェブを古いリールに向かうその元の進行方向からそらすために、より大きな力が「重い」等級のために使用されなければならない。
【０００７】
連続的に動作する巻上げでは、ウェブの端部は、スリッターワインダを用いて行われる巻取りにおける場合と同様に、巻取り開始前には、巻取りコアに接着され得ない。何故ならば、既知の方法を使用するとき、接着は機械が停止されることを要求するからである。他の観点において、接着はその回転運動を用いて新しい巻取りコアの周りにウェブを引っ張る確実な方法である。他方、そのように塗布されるとき、接着剤は制御されない方法で作用し、それは巻取りリールの表面を汚し、それは洗浄の必要を増大し得る。さらに、塗布される接着剤は他の側面で有害でもある。何故ならば、一部の接着剤は損紙に付着し、それらの再パルプ化能力(repulpability)は乏しいからである。
【０００８】
新しい巻取りシリンダの前にウェブから切断される楔若しくは先端、又は、２つの平行な切込みによって分離される帯と帯の地域におけるブレードによる横方向の切込みとを利用することが可能な空気噴流によって遂行される交換が、例えば、欧州特許第６５８５０４号、欧州特許第７６５８３２号、米国特許第４，４４５，６４６号、及び、米国特許第５，３６０，１７９号に提示されている。
【０００９】
米国特許第５，４４１，２２１号は、ウェブの横方向におけるスリット及び後続の付着地域を用いた新しい巻取りコアへのウェブ交換が開示されている。スリット及び後続の付着地域は、交換ニップの前に配置され且つ切断縁部及びそれに直ぐ続く両面接着テープを備えるホイールによってウェブ中に生成される。スリット後の新しい巻取りコアの周りへのウェブの移転、及び、縁部に向かうウェブの引裂きは、ニップ後に行われる吹付けによって強化される。
【００１０】
ドイツ国公報第ＤＥ２７２１８８３号も、ウェブの運転方向における交換ニップの後に切断されるべき、並びに、ブレード及びブレードの下方に配置されるノズルを使用して新しい巻取りコアの周りに吹き付けられるべき、ウェブの中心地域において分離された帯を開示している。
【００１１】
一般的に、ウェブ破損の危険は、全速力で走行するウェブが交換ニップの前に触れられる全ての交換方法において含まれる。これは、切り口がブレードによって作成されるとき、或いは、素子、例えば、接着ピースがウェブに付着されるときに当て嵌まる。例えば、ブレード、グースネック交換におけるニップ後の吹付けによってウェブを引き裂き得るスリットを生成する目的のためにニップを交換する前の「穿孔ナイフ」によって作成される切込みは、危険因子を含むそのような交換方法の１つの実施例である（例えば、米国特許第５，３６０，１７９号の図Ａ１及びＡ２中に先行技術として提示されているグースネック交換）。
【発明の開示】
【発明が解決しようとする課題】
【００１２】
本発明の目的は、上述の欠点を解消し、且つ、接着剤の塗布なしに、他の塗沫操作なしに、或いは、底損紙なしに、新しい巻取りコアの周りにウェブを安全に持ち込み得る方法を提示することである。
【課題を解決するための手段】
【００１３】
これらの目的を達成するために、本方法は、付属の請求項１の特徴部分に提示されているものによって主として特徴付けられている。本方法では、材料が塗布され、それは巻取りコア又は移動するウェブの表面上に配置される。巻取り中に或いは紙ウェブが古い満杯のリール上に走行するときに実施され得る、材料の特性における変更によって可能であれば他の手段の助けを受けて、交換ニップ又はウェブと巻取りコアとの間の対応する接触地域の後に、巻取りコアの表面上へのウェブの移転を生成するために、十分な接着が巻取りコアとウェブとの間に達成され得る。
【００１４】
有利な実施態様によれば、この材料は二層構造を備えるピースであり、それは基層と保護層とを有し、且つ、事前に、例えば、リール交換のための巻上げへの巻取りコアの移転の既に前に、巻取りコアの表面上に配置され得る。巻取りコアが交換位置にあるとき、保護層はピースから除去され、ウェブを巻取りコアの表面に接着するために、ピースの下の接着地域を露出する。保護層の除去、即ち、接着状態への材料の変更は、例えば、空気吹付けを使用することによって、巻取りコアが回転しているときに行われ得る。この目的のために、吹付けが有効であり得るよう、ピースは適切な空気ポケットを備える。
【００１５】
本発明に従った他の変更方法が、付属の従属請求項並びに以下の記載において提示されている。
【００１６】
本発明に従った交換装置に関して、付属の従属請求項が参照される。交換装置は、適切な構造を備える巻取りコア、及び／又は、ウェブの接着を促進するよう、その特性が変更される材料をウェブに供給するように、或いは、ウェブと巻取りコアとの間の接着を促進するためにそれらの特性に変更が起こるよう、ウェブ及び／又は巻取りコアをそれぞれ処理するように構成される送出し又は処理装置とを含む。
【００１７】
次いで、本発明に従った接着テープは、付属の独立請求項に提示される機能によって特徴付けられる。接着テープは特殊な機能を有し、リール交換前に巻取りコアの表面に容易に付着され得る且つ所望の瞬間にその接着特性を変更するようにされ得る材料ピースを構成する。
【００１８】
本発明は、ウェブ又はその一部が、交換ニップの前に或いは巻取りコアとウェブとの間の対応する接触地域の前に、機械的に接触されない交換方法をもたらす。もし、全幅ウェブからの交換が、意図される部分を分離するために、切断がウェブの長手方向においてウェブになされるならば、前記切断を行うために、材料噴射、好ましくは、高圧水噴流が、好ましくは、ウェブの表面に向けられる。
【００１９】
この脈絡において、接着という用語は、巻取りコアとウェブとの間の引力を意味し、それは常に接着剤を用いて生成されるよう解釈される必要はなく、用語の意味は各脈絡から明らかになる。
【００２０】
付属の図面を参照して本発明を以下に記載する。
【発明を実施するための最良の形態】
【００２１】
図１ａの状況において、満杯になっている古いリールに走行する紙ウェブ(paper  web)のような繊維材料ウェブＷに接続して、新しい巻取りコア(reeling  core)２として使用される新しいリールスプールがリール交換位置に持ち込まれているので、この接続は交換を可能にする。巻取りコア２は、ウェブ案内部材、巻取りシリンダ１の表面上を走行する紙ウェブと接触させられ、巻取りコアは、実質的にウェブの走行速度に対応する周辺速度で回転するウェブ案内部材と交換ニップＮを形成する。巻取りコア２と巻取りシリンダ１との間の交換ニップＮの後、ウェブはウェブ案内部材の表面上を移動して実際の巻取りニップに至り、ウェブは巻取りニップを通じて満杯になっているリール上に巻き取られる。以下において、ニップＮは、交換位置において形成されるニップ、即ち、交換ニップを指す。
【００２２】
図１ａに示されるリール交換機器は、ウェブの進行方向において新しい巻取りコア２の前に配置された切断装置３と、図面中で巻取りコア２の上で、新しい巻取りコア２の回転の方向において巻取りコアと巻取りシリンダとの間のニップの前に配置される検出装置４と、（巻取りコアの回転方向に見られるときに）前記検出装置４の前で前記ニップの比較的直ぐ後に位置付けられる吹付け装置５とを含む。吹付け装置のオリフィスは、巻取りコアの回転方向に抗して、ニップＮの後の間隙開口に向かって方向付けられている。吹付け装置は、そのように既知のグースネックを含み得る。
【００２３】
切断装置３は、好ましくは、２つの切断ノズルを含み、ノズルからの材料噴流を用いて切断地点で機械的接触なしにウェブを穿孔し得るし、切断地点に対して製造速度で前方に走行するウェブに長手切断を生成する。切断ノズルは、例えば、ウェブを横断して配置されるフレームビームにおいて、ウェブの横方向に迅速に移動可能である。好ましくは、繊維材料ウェブを切断するために使用される媒体は、高圧水噴流である。
【００２４】
図１ａは、異なる部分の１つの可能な構成を示しているだけである。原則として、検出装置４は、どこにでも配置され得る。何故ならば、それは、回転中の巻取りコア２の周辺上のある特定地点の場所（具体的には、ニップＮに対するその場所）を計算するために使用されるからである。図面中に示される吹付け装置は既知の所謂グースネックである。しかしながら、吹付け装置５は、所謂湿式端部の側の上にも配置され得るが、その場合においてさえ、吹付けの方向が巻取りコアの回転方向に抗するよう有利に。それは、例えば、切断装置３のフレームビーム（波線で示される代替的な場所）に取り付けられ得る。
【００２５】
巻取りコア２の表面は、所望の瞬間に繊維材料ウェブ１に付着するようにされる材料を備える。この材料は、繊維材料ウェブに付着することなしに、交換位置においてニップＮを通じて数回転を通過するが、ウェブが新しい巻取りコアの表面上を走行するようにされなければならないとき、材料はウェブに接着するように交換される。図面中に示される交換方法では、これは新しい巻取りコアの表面に付着され且つ保護層を備える両面接着テープ６を用いて実施されている。保護層６ｂは、テープの基層中の付着地域６ａを覆い、よって、巻取りコア２が回転するときに、ニップＮ内のウェブＷに抗するようになる。材料が付着状態に持ち込まれるべきとき、保護層６ｂは吹付け装置５を用いて付着地域の頂部から除去される。図面は、吹付け装置による吹付けが、回転方向に見られるときに、保護層６ｂを付着地域の背後にひっくり返し、付着地域６ａを露出している状況を示している。
【００２６】
図１ａに例証される方法は以下の方法で行われる。交換を行うために、吹付けが、接着テープを開くために、即ち、その保護層６ｂを除去するために先ず使用され、そこでは、接着地域６ａが露出される。切断装置３が、ウェブの走行方向に延びる「舌」(tongue)又は先端(tip)、即ち、その後部部分がウェブに付着される楔(wedge)を紙ウェブの中心地域内で切断するよう配置される。切断の瞬間は、この舌が露出され接着地域６ａを備えて同一の瞬間にニップに進入するように選択されなければならない。よって、舌は接着地域６ａに付着し、巻取りコア２に追従し始める。同時に、ウェブ全体を巻取りコアの表面に付着される舌に問題なく追従させるために、ウェブは切断装置によって縁部に至るまで舌から切り離される。正面でウェブの残部から完全に分離された舌の使用を回避するために（より薄い等級の場合には、それと共に、舌をニップ内にきちんと入れるときに問題が起こり得る）、狭い帯(band)は切断装置３によって切断され、帯の正面端部はウェブに付着され、帯は縁部でウェブの残部から分離される。もし接着地域の保持力がウェブの引っ張り強度を超えるならば、テープはウェブ内で巻取りコアによって引っ張られるときに切り離され、或いは、それはニップ後に他の方法で吹き飛ばされ或いは切り落とされ得る。帯が使用されるとき、切断装置３の拡幅運動（中心から縁部へ向かうノズルの運動）は、ニップ内への接着地域の進入の瞬間と同期される。テープの切り落としを固定する１つの方法は、ウェブから極めて狭い、即ち、例えば、接着地域６ａの幅よりの狭い帯を切り離すことである。帯を切断装置によって接着地域６ａよりも幅広く広げることは、より広い地点が接着地域６ａと同時に或いはその直ぐ前にニップに進入するよう、ニップ内への接着地域の進入の瞬間と同期される。
【００２７】
切断装置３として、対応する切断地点を横方向に移動するために、ウェブの横方向に、例えば、ビーム内で適切な制御の下で移動する２つのノズルを備える、そのように既知の上述の水噴流切断装置を使用することは可能であり、もし目的が正面で緩い舌又は先端を切断することであるならば、それらはウェブの中心地域で互いに「バイパス」し得る。図１ａにおいて、切断装置３は、巻取りシリンダ１の表面に対する水噴流を用いてウェブを切断するが、装置３は巻取りシリンダ１の前にも配置され得る。その場合には、ウェブはプレートのような別個の支持ベース、或いは、巻取りシリンダ上のウェブの下を走行しニップＮを通じる支持ワイヤによって下から支持され得る。
【００２８】
図１ｂ及びｃは、ウェブの平面に対して垂直な方向において見られる交換を例証している。ニップＮの場所（接着地域６ａ及びウェブＷが互いに接着し合うニップ圧力が効果を有し始める地点）は点線で印され、図１ｂは、舌又は先端、「楔」を用いた交換を示しており、それはウェブＷの縁部への拡大が舌の形成の直ぐ後に継続し得ることを示している。例えば、切断地点は、ちょうど舌の先端から不均一に、縁部までそれらの動作を継続し得るし、動作を遅らせ或いは停止し、且つ、交換が起こったことを確実に検出後、先ず縁部（波線）への拡大を行うことが可能である（舌は巻取りコアの周りに巻き取られる）。次に、図１ｃは、ウェブからの均一な幅を備える帯の分離並びに縁部へのその拡大を例証しており、波線は、ウェブの付着地点前の狭い帯の形成、付着地点前の接着地域６ａよりも広い拡大、並びに、付着地点（接着地域６ａ）後の縁部への拡大を例証している。
【００２９】
切断装置３の機能は、巻取りコア２が回転している間、検出装置４が巻取りコアの表面上の接着テープ６を検出するよう同期される。この検出装置は、接着テープの場所に関して検出可能な機能を用いて接着テープ６の場所を検出し、検出装置４に応答をもたらす。よって、テープの場所にある印が、巻取りコア内の他の場所、例えば、巻取りコアの端部に設けられることで十分であり、その場合には、検出装置は巻取りコアの端部にもあり得る。印は、接着テープ６までの精密な距離が知られる限り、周辺の方向において巻取りコア内の異なる地点にもあり得る。検出装置４は、例えば、光電池(photocell)であり得るが、他の検出方法、好ましくは、無接触検出方法を使用することも可能である。重要なことは、不明瞭でない方法でテープの場所を知らせる印を用いて、テープ６がニップＮを通過するときを知ることである。よって、高速制御ロジックを用いて、次のステップを取ることが可能である。接着地域６ａの頂部から保護層６ｂを除去すること、並びに、正しい瞬間での横方向における移転によって、所要の切断がウェブ内に形成されるように、切断装置３を前記除去動作と同期すること。ニップＮからの切断装置３の距離は既知であり、且つ、ウェブＷの走行速度は既知であるので、事象は常に互いに正しく同期され得る。例えば、もしウェブＷに沿って測定されるニップＮからの切断装置３の距離が、（ウェブの走行速度が巻取りコアの周辺速度と等しいと想定すれば）巻取りコアの周辺に沿って測定される接着層６ｂの除去地点とニップＮとの間の距離よりも大きいならば、例えば、材料が接着性にされる（接着層６ｂが除去される）前に既に、ウェブの切断を開始することが可能である。上述のように、ウェブの横方向における切断地点を移動するために切断装置３の正しくタイミング調整される機能は、ウェブ内で、正面で緩い舌又は先端のいずれかの形成であり得るし、或いは、もし連続的な帯が切断装置によって形成されるならば、狭い帯を少なくとも接着地域６ａの幅に拡大する或いは帯の接着地点から比較的短い距離で拡大を開始する横方向動作のタイミングである。
【００３０】
結果的に、新しい巻取りコア２とウェブ案内部材との間のニップＮが閉塞されるとき、接着地点６ａは、その頂部に保護層６ｂを備えて、ニップＮを数回通過し得る。もし一部の接着剤が交換位置に持ち込まれるリールスプール上に晒されるならば、ニップＮは、舌又は先端がニップに進入する正しい瞬間に閉塞されなければならない。この観点での不正確性は、時期尚早の接着又は舌の折り返し等のような機能不良を招き得る。
【００３１】
図１ｄは、接着テープ６の場所が巻取りコア２の回転中に検出される有利な構成を示している。この方法は上述の他の印を置換するために使用され、それは検出装置の光電池によって容易に検出される反射器であり得る。図面中に示される構成において、テープ６は、巻取りコア２の軸方向において接着テープ６と実質的に同一場所に配置される検出装置４によって直接的に検出される。波線は、検出装置４が例えば妨害反射器の故に軸方向に僅かに偏った状況を例証しているが、この状況においてさえ、それは巻取りコア２の外表面に向かって方向付けられ、その上の接着テープを方向付ける。実際には、テープの直接的な検出は、接着テープ６の可視的な表面、即ち、保護層６ｂの外表面と巻取りコア２の外表面との間の十分な光学差によって得られる。これは詳細（接着テープ及びそれを取り巻く巻取りコアの外表面）を示す図面中に概略的に例証されている。保護層６ｂの場所上のデータは、同時に、その下の接着地域６ａの場所上のデータである。検出装置４は、特殊な光電池、即ち、巻取りコア２の外表面の残部によって形成されるより暗い或いはそれぞれ不十分に反射的な背景から、照明され或いは光を良く反射するテープ６の表面を検出し得る光検出器を含み得る。接着テープ６の保護層６ｂの外表面は、例えば、十分に照明するようされる。接着テープ６の可視的な表面（保護層６ｂの外表面）は、他の観点でも、巻取りコア２の表面から遠く離れて配置される検出装置４によって光学的に検出可能な品質を有するよう形成され得る。接着テープの表面は、特殊な特性、例えば、特殊な色を備え得る。例えば、巻取りコア２の外表面の色と明らかに異なる色の剥離紙（保護層６ｂ）を備える接着テープ６が使用され得る。接着テープは、例えば、色を形成するよう蛍光であるよう、ルミネセンス特性も備え得る。よって、光電池は、対応する通常の色に、或いは、ルミネセンスによって付与される色に敏感である。図面の構成は、交換位置への巻取りコアの移転前に、接着テープ６のみが巻取りコア２上に配置される必要があるという利点をもたらし、その検出を促進する如何なる補助的手段をも必要とせず、それは、例えば、巻取りコアのための貯蔵庫内で巻取りコアが交換のために準備されるときに、リール交換前に測定をより容易にする。また、固定の特定印によって決定される同一場所に接着テープを常に配置することが回避され、結果的に、前記場所の摩耗又はソイリングの危険性がない。
【００３２】
保護層の紙の透明性が、検出が行われる波長のために十分に高いならば、検出のために必要とされる差が、保護層６ｂの下の材料（基層）の光学特性にあることも可能である。同様に、この脈絡において、光及び関連用語「光学的」は可視光の範囲のみならず、境界的なＵＶ及びＩＲ範囲も指す。
【００３３】
図２は、接着地域の頂部上に保護層６ｂを備える、左手側の接着テープ６の構造を示しており、右手側では、接着材料から構成される接着地域６ａが吹付け後に露出されている。保護層６ｂは、間隙、所謂「空気ポケット」６ｃが保護層の正面縁部の下に形成されるよう、接着地域６ａ上に配置されており、吹付けは正面縁部に向けられることができ、空気が保護層６ｂの下に進入するとき、保護層は接着地域６ａから剥離するようにされる。空気ポケット６ｃは、巻取りコアの回転運動によって引き起こされる空気抵抗が保護層を剥離しないが、十分な強力な吹付けによってのみ剥離されるような性質である。実際には、接着テープの正面部分に、保護層６ｂが巻取りコア２の表面と反対の地域を設け、それらの間にテープ６の基層を有さないことによって、適切な空気ポケットが形成され得る。これは、保護層６ｂによって覆われた、楔状に後方に狭くなる切取り部分を備えることによって、図２に示されている。
【００３４】
図３は、図２の接着テープを側面及び上面で示している。吹付け方向は、矢印Ｂで表示されている。テープの基層は、両面接着テープによって形成され得る。両面接着テープは巻取りコア２の表面上に接着され、その上面は、剥離材料が接着剤に対して位置する、接着剤付きラベルから既知であるような、適切な材料の保護層６ｂによって覆われた接着材料、接着剤を備える。その上面が接着地域６ａを備える基層は適切なノッチを備え、その上には、空気ポケット６ｃをもたらすよう、保護層６ｂが延びている。保護層６ｂは、好ましくは、それが剥離された後でさえも、接着テープに、基層の後方縁部に固定されたままであるよう、接着テープに固定される。よって、保護層はその除去後に緩んで浮遊したままではない。図３は、保護層の後方縁部が、どのように接着テープ６の基層の下に折り畳まれ得るかを示している。もし保護層及び基層の縁部が整列されるならば、保護層の剥離は、保護層６ｂ及び基層の両方を接着テープの後方縁部で基層の下に折り返すことによって阻止され得る。換言すれば、接着テープはこの地点で折り畳まれる。
【００３５】
開放された接着テープにおいて互いに重なり合う保護層６ｂ及び基層が、リールの底部（接着地域６ａの後方縁部にあるより厚い地点）に印を付けることは望ましくなく、基層及び保護層は、折り曲げられる均一な材料から成り得る。その場合には、開放された接着テープにおいて、保護層は折り目で基層に取り付けられたままである。この代替は図２ｂに例証されている。結果的に、接着テープの基本材料は、空気ポケット６ｃをもたらすよう、その１つの縁部が適切な切取り部分を備える均一なピースである。ピースを折り畳む前に、一緒に折り畳まれるべき表面は、適切な接着剤Ａ（基層）及び剥離剤Ｅ（保護層６ｂ）を備える。仕上げられた接着剤付きラベル６が、図２ｂの下方部分に示されている。接着剤も基層の下に（巻取りコアに対するようになる表面上に）塗布されている。使用を容易化するために、この底側も、保護層６ｂにおけるように類似の剥離剤Ｅを含み得る保護層６ｄで覆われ得る。空気ポケット６ｃも、保護層が基層の縁部の外側に延びるよう直線ピースの折畳み地点を「オフ」に変位することによって、原紙を形成する半体に形成されるべき切取りなしに形成され得る。これは材料Ａ及びＥによって覆われる地域の寸法に当然に考慮される。何故ならば、それらは直線ピースにおける折畳み線の異なる側に来るからである。接着テープにおいて使用される基本材料は、接着剤付きラベルにおいて一般的に使用される紙であり得る。
【００３６】
テープ６の構造と無関係に、図１に示されるように、それを直接的に検出する必要がその製造において考慮され得る。よって、ピースの外表面又は保護層６ｂを形成する区画、即ち、仕上げられたテープにおいて可視的な表面は、上記の目的を達成するために、適切な色又はルミネセンス特性を備え得る。もし保護層６ｂの透明性が十分であるならば、同様のことが基層の特性においても考慮され得る。
【００３７】
接着テープを使用することの利点は、それが巻取りコアに付着されたままであり、よって、例えば、ウェブの部分と共にパルプ製造機に入らないことである。基層（原紙）の下側において使用される接着剤は、原紙の平面の方向（巻取りコアの周辺方向）において良好な保持を有するが、径方向に引っ張ることによって巻取りコアから容易に取り外され得るような感圧性接着剤であり得る。
【００３８】
図４は、下から見られるとき、テープ６の基層の構造の様々な代替を示している。空気ポケット６ｃ（基層に形成された切り口）は、様々な形状を備え得るが、共通の特徴は、空気が吹付け時に保護層６ｂの下に進入し得るよう、それがテープ６の正面縁部に対して開放でなければならないことである。テープの基層の一般的な形状も異なり得る。
【００３９】
下から見られた（ベースの保護層６ｄのない）テープの１つの実施態様を示しており、テープ６は、ある点では、図３に示される一連のテープから構成されている。換言すれば、巻取りコアの軸方向に延びる均一なテープは、基層に形成された切取り部分又はノッチ及び回転方向の開口によってもたらされる、互いに隣り合った幾つかの空気ポケット６ｃを含む。図５の接着テープを用いて、接着はウェブのより広い地域で達成される。切断装置によって対応する幅の帯を形成することによって、並びに、接着地域６ａがニップＮの後でそれを備える帯を引っ張るときに、帯の剥離を引き起こすことによって、それは薄い等級との交換のために使用され得る。吹付け装置５のノズル又は複数のノズルが、対応する方法でより広い地域上で有効であるよう配置され得る。薄葉紙の観点からは、全幅交換さえも実現可能であり、その場合には、接着テープ６は実質的にウェブＷの全幅に亘って延びる。
【００４０】
また、図４及び５の実施態様において、保護層６ｂは、基層及び基層の接着地域６ａに形成された切取りを覆い、それは、上記に提示されたように、巻取りコアの回転方向に見られるとき、基層の背後から吹き付けることによってそれを折り返すことによって除去される。
【００４１】
図６は、吹付けが巻取りコアの回転運動に対して周辺方向において影響されないが、それが両側から（矢印Ｂ  ）それぞれの空気ポケットに対角に巻取りコアの回転運動に対するようになる実施態様を示している。ウェブＷの切断の切断及び同期に関して、本方法の原理は上記と全く同じであり、相違点は吹付け方向及び接着テープの構造にのみ存する。この場合には、空気ポケット６ｃは吹付け方向を考慮して形成される。即ち、吹付け時に空気が進入する保護層６ｂの下の間隙は、吹付け方向に対して開放でなければならない。この場合には、保護層６ｂは、基層の成形なしに、接着地域６ａ及び接着テープの全基層の外側に延びる。換言すれば、この場合にも、間隙は保護層６ｂと巻取りコア２の表面との間に形成される。図５において、保護層６ｂは基層よりも広く、空気ポケット６ｃは接着テープ６の長手の縁部上に形成されている。
【００４２】
図７ａは、正面から対角に吹き付ける場合における接着テープの幾つかの実施態様を示している。接着テープは、下から見られるように示されている。即ち、それらは保護層６ｂが基層の縁部の上に延びる地域を示している。
【００４３】
吹付けは、軸方向において、即ち、接着テープ６が吹付け方向に面する空気ポケット６ｃを有する限り、から寿司も回転方向に抗せずに、側部から直接的に行われ得る。吹付けは両側から行われ、空気ポケット６ｃは接着テープ６の側部にある。
【００４４】
吹付け装置５は、既存のグースネックを使用することによって、それをテープの取り外しに適するよう変更することによって、或いは、新しい吹付装置を構築することによって、剥離方法（接着テープの構造及び配置）に対応して配置されている。ノズルの数及び配置は、接着テープの形状及び配置に対応して手配される。
【００４５】
何らかの理由のために、交換が成功的でない、即ち、ウェブが巻取りコア２に追従せず、最悪の場合には、ウェブ破損を招き得ることも可能である。図７ｂは、交換の信頼性を向上するための構成を示している。接着テープの接着地域は、段階的に露出され得る。もし第一接着地域の露出後に交換が成功的でないならば、再び試みることが可能である。接着テープの構造において、均一な接着地域６ａを覆う保護層６ｂは、２つの部分から成る。その構造において、それは図６の接着テープ及び図７ａの左にある接着テープに類似している。即ち、保護層６ｂは、その両端で、基層よりもさらに延びている。保護層は、別個の半体６ｂ’及び６ｂ”で構成されている。何故ならば、それは中央で長手方向に分離されているからである。それぞれの側（機械の保守側又は駆動側）から吹き付けることによって、保護層のいずれの半体も除去され得る。よって、この半体の下の接着地域６ａの部分のみが露出される。もし、何らかの理由のために、ウェブがこの後で新しい巻取りコア２の上で上方に折り返されないならば、反対側から吹き付けることによって保護層６ｂの第二部分を除去することが可能であり、然る後、その下の接着地域６ａの部分は利用可能である。
【００４６】
図７ｂは、この方法をステップで示している。最上部の図面は、接着テープ６が無傷の状態を示している。巻取りコア２の表面の走行方向（巻取りコアの回転方向）は矢印で表示されている。図面中、中央には、第一部分６ｂ’が除去され、接着地域６ａの区画が露出されている。最下部の図面では、保護層の残部６ｂ”も除去されている。
【００４７】
図７ｂの中央の図面は、吹付けがどのように正面から対角（矢印Ｂ）に、即ち、巻取りコアの回転方向に抗して向けられ得るかを示している。もし保護層の部分の１つだけが除去されるべきであるならば、吹付けはその側（中央の図面中の右手側）でのみ有効である。もし接着テープが、保護層６ｂ又はその一部が除去後に基層に付着したままではない構造を有し、且つ、保護層６ｂ又はその一部が除去後に基層に付着したままではない方法で付着されるならば、図７ｂの最下部の図面は、全ての上述の交換方法において使用され得る補助装置も示している。保護層から成る緩いピースは、接着テープ６に対して適切に接近させられ且つその吸引が除去吹付けＢと同一方向に有効である吸引装置又は吸引ノズル１１によって取り上げられる。よって、保護層６ｂ又はその一部から成り且つ接着地域６ｂの頂部から除去される保護層６ｂから成る材料ピースは、「くず(chaff)」として浮遊したままではなく、制御された方法で吸われ、管又はホースのような吸引通路を介して案内されて巻取りコア２の近傍から離される。最下部の図面において、接着テープ６の後方縁部は、吹付けが行われた後、ノズル１１の吸引オリフィスのちょうど正面にある。
【００４８】
もし狭いストリップが、交換において接着地域６ａの一部に接着する目的のために、ウェブを切り離すならば、巻取りコアの軸方向におけるストリップの場所は、切断手段が露出される接着地域の場所により良好に対応するよう切断手段を移転することによって常に迅速に再位置付けされ得る。
【００４９】
図７ｂに示される吸引を用いて、保護地域６ｂ又はその一部の材料は、巻取りプロセスから完全に除去され得る。よって、リールの底部でウェブに印を付けるために残される増大された材料厚さを招く、特別に構成された接着テープによって或いは接着テープの直線切断後方端部を折り畳むことによって、保護層の取付けを固定する必要はない。
【００５０】
接着テープの構造が、図７ａの左の接着手テープ並びに図７ｂの接着テープにおけるように横方向において一定であるときには、長手方向に連続的な接着テープ材料を製造することが可能であり、それはロール上に蓄積されることができ、例えば、リール交換前に切断することによって、所望の長さのテープ６がそこから常に分離され得る。よって、巻取りコア２への接着テープの付着を自動化することも容易である。
【００５１】
本発明は上記の実施態様に限定されることはなく、同一の機能及び同一の結果を達成するための方法及び補助的手段も当て嵌まり得る。例えば、吹付け以外の他の手段、例えば、機械的背色によって接着表面の頂部から保護層を除去することも可能である。このように、除去方法は接着テープの設定において考慮される。同様に、もし巻取りコアの回転運動中に少なくとも一度巻取りコアの回転の速度並びに接着地域の位置が正確に知られるならば、交換位置における巻取りコア上の接着地域の位置は、必ずしも連続的に監視される必要はない。よって、接着テープが吹付け又は他の除去方法の作用範囲に入るとき、及び／又は、接着地域（活性化された接着テープ）がニップに入るときを計算することが可能である。
【００５２】
軽量の紙等級を使用すれば、事前に作成される切り口（舌、帯）は必ずしも必要ではなく、ウェブＷは引き裂け且つ接着だけの結果として巻取りコア２に追従するようにされ得る。よって、縁部へのウェブの剥離は、ニップＮ後に、拡大吹付けによって補助され得る。
【００５３】
図８は、巻取りコアの表面上の且つ所望の瞬間に接着的であるよう変更される材料がロールコーティング２ａ自体である方法を示している。リールスプールが交換位置に持ち込まれる前に、それは加熱（矢印Ｔ）され、コーティングは粘着的になる。加熱は、巻取りコア２の回転速度がウェブの走行速度に対応する周辺速度に加速されるときに同時に実施され得る。引き続き、巻取りコア２が紙ウェブと接触するようにされるとき、最も遅くても、ニップＮが閉塞されるとき、紙ウェブは巻取りコア２の回転運動に巻き込まれる。紙ウェブとの巻取りコアの接触或いは接着を引き起こすニップ接触（ニップの閉塞）は、切断によってウェブから分離される舌又は先端が接触地点に入るような瞬間に起こるよう調整され得る。よって、巻取りコアは特別な材料のコーティングで対応する幅のゾーン上にだけ塗工されることで十分であり、コーティングの残余はより一般的な材料、例えば、通常のプラスチックコーティングから成り得る。対応する方法では、ウェブが巻取りコアに追従するときに同時に軽量紙等級のウェブを引き裂くために、全幅の特殊材料コーティングが使用され得る。図８は、矢印を用いて、巻取りスプール２へのウェブの移転を補助するために、下から（もしウェブがリールスプール２に対するため反対側から）向けられた補助吹付けＡＢを示している。
【００５４】
リールスプール２が既にニップ接触にあるとき、リールスプールは加熱され得る。よって、コーティングが十分に粘着的になるとき、ウェブはリールスプールに接着する。
【００５５】
利点は、リールスプールの表面が、交換前ではなく先ず交換の瞬間に、粘着的になることであり、巻取りコア、例えば、リールスプールが収納状態にあるとき、表面の粘着性は有害ではない。
【００５６】
コーティングは、ある温度で粘着的になるような物理的特性を備える特殊なポリマであり得る。これらの種類の特殊なポリマは、例えば、交換温度より下に冷却することによって皮膚から取り外されるようされるプラスタから既知である。これらのポリマは、例えば、欧州特許第４７１７５７号及び米国特許第６，５７２，６００号に開示されており、狭い変態範囲及び可逆的変態によって特徴付けられる。ポリマが冷却されるとき、それは再び非粘着的な状態にある。リール交換において、特性のこの回復は如何なる害をも引き起こさない。何故ならば、その段階までに、繊維材料ウェブＷは巻取りコア２の周りで既に数回転巻き取られているからである。本方法は、ポリマの冷却後に巻取りコアの表面から除去することが比較的容易な滑らかな紙等級の交換のために、例えば、塗装等級に極めて適している。
【００５７】
圧力、水／化学物質、又は、電流／電場のような他の外的刺激の効果によって可逆的に粘着的になるポリマを使用することも可能である。外的刺激がコーティングに対してもはや有効ではないとき、ポリマはその初期状態に再び復帰する。もし要因が温度であるならば、巻取りコアからのウェブの分離は、必要であれば、冷却によって補助され得る。
【００５８】
図９は、材料が新しい巻取りコア２の表面上に持ち込まれる交換方法を示しており、材料は、ニップの線形圧力の効果によって、圧力下で巻取りコア２とウェブ案内部材１との間のニップＮ内で液体となる。圧力の効果が停止すると、材料はその状態を再び固体に変える。液体材料は巻取りコアの固体表面に接着し且つニップ内で巻取りコア上を走行する繊維材料層内に吸収されるので、ウェブＷが、図９に示されるように、ニップ圧力の減少後に、ウェブが古いリールＲに向かって方向付けられる前に、ニップ後にある特定のセクタ内である特定の張力で巻取りコア２の周辺を追従するとき、凝固は巻取りコア２の表面への接着を引き起こす。圧力の効果によってその状態を変える材料の最も一般的な例は、氷（それは水になり、水は再び氷結される）。図９に示される巻上げは、ウェブ案内部材１（巻取りシリンダ９と新しい巻取りコア２との間のニップＮの上に配置される材料送出し装置７を含み、材料送出し装置は、所望の瞬間にウェブＷと巻取りコア２との間のニップＮ内に材料を送り込む。
【００５９】
軽量紙等級の場合には、ウェブは、ウェブの別個の切込みなしに、接着の結果として容易に破損されるように持ち込まれ得る。しかしながら、切断のある特定地点が固体材料がニップ内に送り込まれるときと同一の瞬間にニップＮに入るよう、ニップＮの前にウェブ上で遂行される切断を同期することが可能である。ここでは、上記に提示された接着テープ変更と類似するステップを取ることが可能である。よって、材料供給は、幅方向において、例えば、ニップＮ前にウェブＷから分離される舌又は先端が来るゾーンに限定される。同様に、ウェブの中央地域において連続的な帯を分離すること、並びに、横方向における材料供給を帯の場所に限定することが可能である。
【００６０】
図１０は、ウェブＷが凍結されることによって巻取りコアの表面に、表面に設けられる冷却素子Ｅに付着される方法において使用され得る巻取りコアを示している。交換状況は、上記の図９に示されるのと同一であり得るが、この場合には、固体材料はニップＮ内に供給されない。凍結付着による交換は、交換位置において巻取りコア２に対するようになる紙ウェブＷのその表面上に液体物質を供給することによって達成される。冷却素子Ｅと接触するようになった後、物質は凍結し、巻取りコアの表面上に固定される。ウェブは、冷却素子との接触前に紙ウェブの表面上でサブクーリングされた水又は溶解して水になる氷結晶によって監視され得る。冷却素子Ｅは、巻取りコア（中央の巻取りコア）の周りの周辺の方向に延びる所与の幅のゾーン、又は、軸方向の若しくは代替的に螺旋状に、また、この場合には、巻取りコアの１つの縁部から他の縁部に延びる地域（最下部の巻取りコア）として、巻取りコア（最上部の巻取りコア）の表面上の所与のサイズの地域から構成され得る。２つの最上部のものは、ニップＮ前にウェブから切断されるその正面縁部に付着される舌又は先端又は帯を巻取りコアまで折り返すのに適しており、最下部のものは、薄い等級に適した所謂全幅上方折返し（ウェブはその全幅に亘って接着し且つ引き裂かれる）に適している。冷却素子Ｅは、その熱伝導率に関して、巻取りコアの表面材料の残部と異なる材料から成り、例えば、金属である。巻取りコア２は、例えば、連続巻上げのリールスプールであり得る。材料は、ステンレス鋼、アルミニウム、又は、銅を含み得る。
【００６１】
図１１及び１２は、側面図において、繊維材料ウェブの連続的巻上げにおける図１０において示されるリールスプールの１つへのウェブ交換を示している。ニップＮの前で、前記凍結可能な物質（図１１）をウェブＷの表面上に供給するための送出し装置８が使用される。ニップＮ後に、ウェブは、所与のセクタの長さに亘る交換位置において、リールスプール２に対してある特定の張力で延びており、然る後、ウェブは満杯になっている古いリールＲに向かって方向付けられている。この地域において、ウェブは冷却素子Ｅでリールスプール２に対して凍結する時間を有し、ウェブは破損し、且つ、それはリールスプール２に追従し始める（図１２）。図８における補助的吹付けに対応する補助的吹付けＡＢが、図１２においても矢印によって表示されている。装置によって送り出されるべき物質がある程度まで液体形態でウェブに吸収されるべき時間を有することが有利である。何故ならば、これは接着を促進するからである。
【００６２】
素子Ｅは、例えば、既知の渦管によって、例えば、冷気をそれに吹き付けることによって、巻取りコア２の外側から冷却されることができ、その場合には、供給される加圧空気は、管の両端で温流及び冷流に変換され、その場合には、温度は−３０℃よりも下であり、冷流によって約−４０℃さえも達成され得る。１つの代替策は、氷、即ち、ドライアイスを冷却素子Ｅに対して直接的にプレス乾燥することであり、或いは、冷却素子Ｅの構造は、それが前記物質で充填されるよう中空であり得る。
【００６３】
−３０℃以下の温度を達成する他の代替策は、冷却素子を冷却するために液化窒素（−１９６℃）を使用することである。実際には、素子は、別個の冷却アクチュエータによって冷却され、冷却アクチュエータは、例えば、巻取りコアの貯蔵庫内の或いは主巻取り装置内の交換位置への巻取りコアの配置前に、加圧されて素子と接触させられる。
【００６４】
巻取りコアが所要の周辺速度まで加速され且つウェブとの接触位置に配置される前に、冷却素子Ｅを十分に低い温度に冷却するための全ての手段が採られ得る。さらに、上記された原理と同一の原理に従って事前に作成される切り口を使用すること、並びに、切り口（及び液体物質）を冷却素子Ｅに調和させることも可能である。波線は、巻取紙林だ１の表面に対してウェブを切断するための対応する切断装置３を示しており、それは接着テープ交換と関連して上記された方法で実施され得る。
【００６５】
図１１及び１２の方法は、所謂ワイヤ巻上げにも適しており、それもワイヤが所与のセクタにおいてリールスプールに対してウェブを押し付けるときに長い接触を有する。
【００６６】
図１０の実施態様において、巻取りコア２は、スリッタ後に巻き上げるのに使用される、厚紙コアのような巻付けコア(winding  core)でもあり得る。それは薄葉紙の巻上げのための巻付けコアでもあり得る。
【００６７】
挿入物質（水／氷、二酸化炭素）が冷却／凝固変化において使用されるとき、後に如何なる害も引き起こされない。また、巻取りコアの表面と繊維材料ウェブとの間の接続の溶解は、後で巻取りを妨害しない。何故ならば、その段階では、数回転のウェブが既に巻取りコアの周りに巻回されているからである。
【００６８】
図１３は、明瞭性の故に、従来技術の交換方法、既に上記に言及された所謂グースネック交換を示している。巻上げに入る繊維材料ウェブＷ、例えば、紙ウェブは、切断装置３によって切断され、そこから、舌又は先端、「楔」が、上記された原理によってウェブの中心地域に形成され、吹付け装置５（グースネック）によって新しいコアの周りに吹き付けられる。ニップ後に切断されるべき並びにグースネックによって巻取りコアの表面上に吹き付けられるべき、ウェブの中央地域において帯を切断することも可能である。切断は上記の実施態様において提示される原理に従って、例えば、巻取りシリンダ１の表面に対する水切断によって遂行され得る。
【００６９】
吹付けだけの助けで遂行される交換における問題は、薄い等級の場合において、吹付けが舌若しくは先端又は「楔」の両側で無傷のウェブを引き裂く傾向を有することである。従って、例えば、薄葉紙の場合には、ウェブの巻上げのためにグースネックを使用することは殆ど不可能である。
【００７０】
図１４は、本発明に従った交換方法を示しており、舌又は先端は、切断地点後に静電気で帯電される。切断装置３とニップＮとの間には、ウェブ交換装置９があり、それは切断によってウェブＷから分離される部分を処理し、その部分は前記舌又は先端又は帯であり得る。吹付けの使用と比較した利点は、吹付けによって容易に起こり得るようには、舌又は先端の縁部にある無傷のウェブが引き裂かれないことであるが、楔は新しい巻取りコア２の上にきちんと巻き上げられ得るし、ウェブは、切断をウェブＷの縁部にまで拡大することによって、制御された方法で新しい巻取りコアに追従するようにされ得る。もし帯がニップＮの後に、例えば、水切断によって、帯の横方向に切断されるならば、帯も巻取りコア２上に巻き上げられ得る。このようにして、「くず」、即ち、繊維材料ウェブから分離される緩いピースの生成が回避される。
【００７１】
ウェブＷの表面を交換するために、既知のコロナ点電極を使用することが可能である。よって、巻取りコア２（リールスプール）は、好ましくは、少なくともニップＮ内で舌又は先端又は帯によって打たれるゾーンにおいて、金属で被覆される。その場合には、コアは接地電位にある。
【００７２】
しかしながら、もし必要であるならば、新しい巻取りコア２（リールスプール）の表面にウェブと符号が逆な電荷をもたらすことも可能であり、それはウェブと巻取りコアとの間の接着を向上し、これは巻取りシリンダの上に配置される同一の装置９によって実施されることができ、その他の電極は巻取りコア２に向かって方向付けられている。巻取りコア２の表面のみを荷電することも可能である。
【００７３】
最後に、図１５は、ニップの前にウェブから分離される帯を切断し且つ巻取りコア２（リールスプール）上に折り返す方法を示している。これは上記の交換方法のいずれかにおける２つの長手切断によって分離される帯での巻取りコア上へのウェブの移転を助けるために使用されることができ、その場合には、目的はニップの後にテープを切断すること、並びに、繊維材料ウェブと巻取りコアの表面との間の接着を用いて巻取りコア上にそれを移転することであり、その接着は上記現象のいずれにも基づき得る。しかしながら、それは、適切な構成と共に、繊維材料ウェブよりも狭い帯の巻取コア上への折り返しのための唯一の補助的手段として使用されるよう考えられ得る。
【００７４】
本方法において、テープはニップの後で切断され、その場合には、ニップの前に舌又は楔を切断することは必要ではないが、切断装置はウェブの横方向において互いに一定距離に配置される切断地点を使用する。よって、薄い（可撓な）等級を用いて、特定のベース又はウェブ案内部材（巻取りシリンダ１）の表面に対する切断を少なくとも要求する、ニップ内への並びにそれを通じる緩い舌又は楔の移転、並びに、ニップに向けた可能な空気吹付けに対処する必要はない。
【００７５】
本方法において使用される交換装置１０は、切断ノズル１０ａと、吹付けノズル１０ｂとを含む。切断ノズルは、有利に高圧水噴流である材料噴流Ｓを用いて、ニップＮと吹付けノズル１０ｂの衝撃地点との間でウェブを切断するために使用される。噴流Ｓは、ウェブの横方向において案内部材（巻取りシリンダ１）に対してウェブを切断する。切断前に、ノズル１０ｂを用いた吹付けは、ウェブの進行方向に対して開始する。材料噴流Ｓによる十分な広い切断がウェブになされた後、吹付けノズルからの吹付けが、切断に続いて、ウェブを巻取りコアの表面上に折り返す。
【００７６】
もし切断装置３によって帯がウェブの中央区画に形成されるならば、吹付けノズル１０ｂを用いた中心吹付けだけが、横方向切断後にそれを折り返すために必要とされ、拡大吹付けは不要である。ウェブは、帯を切断装置によって全幅ウェブまで拡大することによって、巻取りコアの周りでその全幅まで拡大される。
【００７７】
切断ノズル１０ａは、２つの代替策を有する。例えば、その回転軸がウェブの平面に対してほぼ垂直な回転ノズル本体を使用することが可能である。ノズル１０ｂは、ある特定幅のゾーンに亘って連続的に切断する。何故ならば、それは回転軸からある特定の距離にある回転ノズル本体内にあるからである。本体は、回転運動の異なる段階で２つ又はそれよりも多くのノズルを含み得る。そのような切断ノズルを使用するとき、吹付け及び切断の同期は正確ではない。何故ならば、１つ又はそれよりも多くのノズルはある特定の幅で横方向において連続的にノズルを切断し得るからである。もしこの幅がニップＮを通って来る帯の幅よりも大きいならば、ノズル（複数のノズル）１０は帯を連続的に切断する。
【００７８】
他の代替策は、線形動作又は旋回動作のいずれかと共に、１つのノズル１０ａを使用することである。後者の代替策において、ウェブに向かって方向付けられるバーのその端部は切断ノズル１０ａを備え、バーの他の端部は回転継手を備える。ノズル１０ａが運動の湾曲経路の各地点で巻取りシリンダ１の表面に十分に接近したままであるよう、バーは十分に長くされなければならない。このようにして、例えば、１５０ｍｍの幅を備える切断がウェブＷの横方向において行われることができ、相応して、広い事前切断された帯、この幅、が切り離され得る。ウェブ及び帯の横方向において移動（線形動作又は旋回動作）可能な切断ノズル１０ａが使用されるとき、切断地点でウェブＷの下で吹付けを効果的にするために、切断と折返し吹付けとの同期はより正確でなければならない。
【００７９】
切断ノズル１０ａ及び吹付けノズル１０ｂの双方は、同一のフレーム、例えば、既存のグースネック装置に接続され得る。即ち、図面中、交換状況において、それらは新しい巻取りコア２の上かあら巻取りシリンダ１と新しい巻取りコア２との間のニップＮの後の間隙開口内に持ち込まれる。高圧水のような切断ノズル１０ａの切断噴流Ｓの材料も、グースネック装置に反って導入され得る。よって、高圧水ホース又は管が、吹付けノズル１０ｂの空気通路と平行して接続され得る。１つ又はそれよりも多くのノズルを含む回転ノズル装置を用いた高圧水噴流の場合には、ノズル装置の回転のために求められる駆動力、或いは、ウェブの横方向におけるノズルの動作（線形動作又は旋回動作）のために求められる力は、同一の経路を通じて導入され得る。もし回転式高圧水噴流が使用されるならば、そのノズル本体の回転動作を生み出す媒体は、加圧空気（所謂空圧式回転噴流）であり得る。よって、噴流を回転するための駆動力は、折返し吹付けのための或いは折返し及び巻付け吹付けのために使用される空気と同一の加圧空気源から取られ得る。
【００８０】
図１６は、ノズル、この場合には、帯を横断して直接的に直線に運転するノズルによって得られる切断線Ｌ及び吹付けノズル１０ｂの位置を示している。
【００８１】
上記の切断ノズルは、安定的な切断をもたらし、それはニップの前にウェブの横方向における切断或いは以前に使用された穿孔ナイフを置換するために使用され得る。同時に、ニップの前の横方向における切断及び切開に起因するウェブ破損の危険性を低減することが可能である。何故ならば、ウェブの横方向に延びる切断はニップの後に初めに行われるからである。
【００８２】
図１５の方法は、そのようなウェブの巻取りコア（リールスプール）上への折り返しにおいて使用され得る。その場合には、２つの長手切断によって帯は作成されないが、ウェブは縁部から縁部まで無傷である。これは薄い紙等級に適している。もし噴流Ｓを用いた横方向における切断が無傷のウェブにおいて行われるならば、交換装置１０は、そのようなグースネックの使用から既知の通常の折返し及び巻付け吹付けのために使用されなければならない。このために、吹付け装置は、折返し及び巻付け吹付けのための幾つかの吹付けノズル１０ｂを含み得る。
【００８３】
図面は、巻上げにおいてウェブを案内する部材が巻取りシリンダ１である巻上げを示しており、巻取りシリンダ１に対して交換ニップＮが形成される。ウェブを巻上げに供給するために、支持ワイヤのような連続的な可撓支持部材が、巻取りシリンダ１を越えて導かれることが可能である。また、この場合には、交換ニップは巻取りシリンダ１に対して形成されるが、繊維材料ウェブＷは、よって、巻取りコアの表面とニップ内の支持部材との間にある。巻上げは、ワイヤループの案内ロールが巻取りシリンダに対応する所謂ワイヤ巻上げでもあり得る。巻取りコア２が巻上げにおける可撓支持部材に単に対するときに交換が遂行されることも可能であり、支持部材はある特定の張力を備える繊維材料ウェブを巻取りコアの周辺表面に対して押し付ける。
【図面の簡単な説明】
【００８４】
【図１ａ】巻上げを示す側面図であり、本発明の有利な実施態様に従った交換状況を示している。
【図１ｂ】図１ａの実施態様において使用され得るが、他の実施態様においても使用され得る、ウェブに作成される切断を示す概略図である。
【図１ｃ】図１ａの実施態様において使用され得るが、他の実施態様においても使用され得る、ウェブに作成される切断を示す概略図である。
【図１ｄ】交換における使用のための材料ピースを検出するための有利な実施を示す上面図である。
【図２ａ】図１ａの方法における使用のための材料ピースを示す概略図である。
【図２ｂ】図１ａの方法における使用のための材料ピースを示す概略図である。
【図３】交換状況における図２ａの材料ピースの機能を示す概略図である。
【図４】他の材料ピース及びそれらの機能を示す概略図である。
【図５】他の材料ピース及びそれらの機能を示す概略図である。
【図６】他の材料ピース及びそれらの機能を示す概略図である。
【図７】他の材料ピース及びそれらの機能を示す概略図である。
【図８】本発明の第二実施態様を示す巻上げの側面図である。
【図９】本発明の第三実施態様を示す概略図である。
【図１０】交換方法の第四実施態様において使用される巻取りコアを示す概略図である。
【図１１】交換方法の第四実施態様を示す概略図である。
【図１２】交換方法の第四実施態様を示す概略図である。
【図１３】従来技術に従った交換方法を示す概略図である。
【図１４】交換方法の第五実施態様を示す巻上げの側面図である。
【図１５】巻上げを示す側面図であり、図１ｃの方法が使用されるときにウェブを巻取りコアに移転する有利な方法を示している。
【図１６】ウェブの平面において図１５の方法を示す概略図である。
【図１ａ】
2008528410.tif 000003
【図１ｂ】
2008528410.tif 000004
【図１ｃ】
2008528410.tif 000005
【図１ｄ】
2008528410.tif 000006
【図２ａ】
2008528410.tif 000007
【図２ｂ】
2008528410.tif 000008
【図３】
2008528410.tif 000009
【図４】
2008528410.tif 000010
【図５】
2008528410.tif 000011
【図６】
2008528410.tif 000012
【図７ａ】
2008528410.tif 000013
【図７ｂ】
2008528410.tif 000014
【図８】
2008528410.tif 000015
【図９】
2008528410.tif 000016
【図１０】
2008528410.tif 000017
【図１１】
2008528410.tif 000018
【図１２】
2008528410.tif 000019
【図１３】
2008528410.tif 000020
【図１４】
2008528410.tif 000021
【図１５】
2008528410.tif 000022
【図１６】
2008528410.tif 000023
【国際調査報告】
2008528410.tif 000024
2008528410.tif 000025
2008528410.tif 000026
2008528410.tif 000027
2008528410.tif 000028
2008528410.tif 000029